(57)【要約】【課題】エレベータの情報伝送装置の送信機および受信機との間で光信号が正常に送信されていない場合に速やかに対応する。【解決手段】受信機５ｂは、送信機６ｂにより送信された光信号の信号レベルが所定のレベル未満であったときに、併設された送信機５ａによる光信号の出力を停止させる。送信機５ａによる光信号の出力が停止すると、受信機６ａはこれを判別し、併設された送信機６ｂによる光信号の出力を停止させる。これにより、送信機５ａおよび５ｂによる光信号の照射方向が変化して昇降路外に漏れるような場合でも、この光信号による乗客への危険を防止することができる。【選択図】    図１
2005047660.tif 000002
【特許請求の範囲】
【請求項１】
昇降路の任意の箇所と乗りかごとの間で光信号の送受信をするエレベータの情報伝送装置であって、
前記昇降路の任意の箇所に設置され、任意の情報を光信号に変換して送信する送信手段と、
前記乗りかごに設置され、前記送信手段により送信された光信号を受信して元の情報に再変換する受信手段と、
この受信手段により受信された光信号の受信状態を検出する検出手段と、
この検出手段により、前記光信号が正常に受信されていないことが検出されたときに、前記送信手段による光信号の送信を停止する送信制御手段と
を具備したことを特徴とするエレベータの情報伝送装置。
【請求項２】
昇降路の任意の箇所と乗りかごとの間で光信号の送受信をするエレベータの情報伝送装置であって、
前記乗りかごに設置され、任意の情報を光信号に変換して送信する送信手段と、
前記昇降路の任意の箇所に設置され、前記送信手段により送信された光信号を受信して元の情報に再変換する受信手段と、
この受信手段により受信された光信号の受信状態を検出する検出手段と、
この検出手段により前記光信号が正常に受信されていないことが検出されたときに、前記送信手段による光信号の送信を停止する送信制御手段と
を具備したことを特徴とするエレベータの情報伝送装置。
【請求項３】
前記送信制御手段は、前記検出手段により前記光信号が正常に受信されていないことが検出されてから所定間隔でカウントを開始し、このカウントされた値が所定の値に達したときに前記光信号の送信を停止することを特徴とする請求項１または請求項２に記載のエレベータの情報伝送装置。
【請求項４】
前記送信制御手段は、前記光信号の送信が停止されてから所定間隔でカウントを開始し、このカウントされた値が所定の値に達したときに前記送信手段による光信号の送信を再開させることを特徴とする請求項１または請求項２に記載のエレベータの情報伝送装置。
【請求項５】
前記送信制御手段は、前記光信号の送信を再開した回数をカウントし、その回数が所定の回数に達したときに前記光信号の送信停止状態を維持することを特徴とする請求項４に記載のエレベータの情報伝送装置。
【請求項６】
前記送信手段により送信された光信号を遮へいする遮へい機構を備え、
前記送信制御手段は、前記検出手段により光信号が正常に受信されていないことが検出されたときに、前記遮へい機構の駆動を制御して光信号の送信を停止せしめることを特徴とする請求項１または請求項２に記載のエレベータの情報伝送装置。
【請求項７】
乗りかごに設置され、任意の情報を光信号に変換して送信する第１の送信手段と、
昇降路の任意の箇所に設置され、前記第１の送信手段により送信された光信号を受信して元の情報に再変換する第１の受信手段と、
前記第１の受信手段に併設され、任意の情報を光信号に変換して送信する第２の送信手段と、
前記第１の送信手段に併設され、前記第２の送信手段により送信された光信号を受信して元の情報に再変換する第２の受信手段と、
前記第１の受信手段により受信された光信号の受信状態を検出する第１の検出手段と、
この第１の検出手段により前記光信号が正常に受信されていないことが検出されたときに、前記第２の送信手段による光信号の送信を停止する第１の送信制御手段と、
前記第２の受信手段により受信された光信号の受信状態を検出する第２の検出手段と、
この第２の検出手段により前記光信号が正常に受信されていないことが検出されたときに、前記第１の送信手段による光信号の送信を停止する第２の送信制御手段と
を具備したことを特徴とするエレベータの情報伝送装置。
【請求項８】
前記検出手段は、前記光信号の受信レベルを検出することを特徴とする請求項１乃至請求項７のいずれかにに記載のエレベータの情報伝送装置。
【発明の詳細な説明】
【０００１】
【発明の属する技術分野】
本発明は、光通信により映像などの情報を伝送するエレベータの情報伝送装置に関する。
【０００２】
【従来の技術】
従来、エレベータには、任意の情報、例えば映像情報をエレベータの乗りかご内に設置されたモニタに表示させるものが存在する（例えば、特許文献１参照）。
【０００３】
前述した映像情報を蓄積する装置がかご外に設置されている場合には、この装置からかご内のモニタに情報を伝送する必要がある。この伝送を行なう手段として、例えば有線通信または光通信が考えられる。光通信を用いる場合には、昇降路の移動軸延長上に光通信用の送信機および受信機をそれぞれ設置する。例えば、送信機は昇降路の下部のピットに設置し、受信機はかごに取り付ける。送信機では、送信用の映像情報を指向性のある光信号に変換し、これを受信機に向けて送信する。ここで、受信機側では、受信した光信号を元の映像情報に再変換し、これをモニタに表示させる。光通信による伝送を行なう場合には、同軸ケーブルなどを用いた有線通信を行なう場合と比較して、その設備を簡略化できる。
【０００４】
【特許文献１】
特開２００３−０８１５４８号公報
【０００５】
【発明が解決しようとする課題】
しかしながら、例えば地震などの外部要因により、相対した送信機と受信機間の位置関係が変化すると、送信機と受信機との間で光信号の正常な送受信が行なわれず、映像情報などの伝送に支障をきたすことになる。特に送信機の設置位置が変化すると、この送信機から送信された光信号の照射方向が変化してしまい、受信機に向けて照射されずに昇降路内の内壁などに照射され、この照射された光信号が昇降路内で反射して昇降路外に漏れる場合がある。この光信号は人体の目に有害であり、特に光信号が可視外域の光である場合には、乗客は光信号が昇降路外に照射されているか否かを判別できないため危険である。
【０００６】
このような場合に、送信機の電源を任意に停止させるスイッチを昇降路外に設ける形態が考えられる。また、光信号が昇降路内で反射している場合には、この昇降路内の点検をする際、この点検を行なう作業員に対して危険が及ぶので、所定の操作によりエレベータの運転モードを点検用の低速運転モードに移行させた際に送信機の電源を自動的に停止させる形態が用いられている。しかし、これらの方法では、送信機の電源を停止させるために乗客または作業員により所定の操作を実行する必要があり、この操作を行なうまでの間は光信号の照射を停止させることができないなどの問題がある。
【０００７】
本発明は、前記課題に鑑みなされたもので、送信機および受信機との間で光信号が正常に送信されていない場合に速やかに対応できるエレベータの情報伝送装置を提供することを目的とする。
【０００８】
【課題を解決するための手段】
すなわち、本発明に係わるエレベータの情報伝送装置は、昇降路の任意の箇所と乗りかごとの間で光信号の送受信をするエレベータの情報伝送装置であって、前記昇降路の任意の箇所に設置され、任意の情報を光信号に変換して送信する送信手段と、前記乗りかごに設置され、前記送信手段により送信された光信号を受信して元の情報に再変換する受信手段と、この受信手段により受信された光信号の受信状態を検出する検出手段と、この検出手段により、前記光信号が正常に受信されていないことが検出されたときに、前記送信手段による光信号の送信を停止する送信制御手段とを具備したことを特徴とする。
【０００９】
このような構成によれば、検出手段により、前記光信号が正常に受信されていないことが検出されたときに、前記送信手段による光信号の送信を停止するので、光信号が受信手段以外に向けて送信されている場合にこれを停止させることが出来る。これにより、光信号の照射方向が変化して昇降路外に漏れるような場合でも、この光信号による乗客への危険を防止することができる。
【００１０】
【発明の実施の形態】
以下図面により本発明の一実施形態について説明する。
図１は、本発明の一実施形態にしたがったエレベータ用情報伝送装置を取り付けたエレベータの構成例を示すブロック図である。
この情報伝送装置は、送信機５ａ、受信機６ａ、送信機６ｂ、および受信機５ｂとを備えて、光通信により映像等の情報を伝送するものである。この装置は、送信機５ａ，受信機６ａ間または送信機６ｂ，受信機５ｂ間の位置関係の変化、いわゆる“軸ずれ”が発生したときに、送信機５ａおよび送信機６ｂによる光信号の送信を停止させる機能を有している。
【００１１】
図１に示したエレベータの機械室には制御盤（図示せず）が設置されており、この制御盤の制御によって巻き上げ機１０が駆動される。この巻き上げ機１０の駆動により、乗りかご１が昇降路内を昇降動作する。この乗りかご１の天井には防犯カメラ２が取り付けられる。
【００１２】
乗りかご１には、送信機５ａが取り付けられる。この送信機５ａには受信機５ｂが併設される。また、昇降路下部（ピット）９には受信機６ａが設置される。この受信機６ａには送信機６ｂが併設される。符号１２ａは、送信機５ａから送信される光信号の送信方向を示す。符号１２ｂは、送信機６ｂから送信される光信号の送信方向を示す。符号１３ａは、送信機５ａから送信される光信号を示す。符号１３ｂは、送信機６ｂから送信される光信号を示す。
【００１３】
送信機５ａと受信機６ａは、送信機５ａから送信された信号が、乗りかご１のかご位置に関わらず受信機６ａにより直接受信できる箇所にそれぞれ設置する。また、送信機６ｂと受信機５ｂについても、送信機６ｂから送信された信号が、乗りかご１のかご位置に関わらず受信機５ｂにより直接受信できる箇所にそれぞれ対峙させて設置する。
【００１４】
例えば、送信機５ａは乗りかご１の側壁に取り付け、受信機６ａは、送信機５ａを取り付けた箇所に対して乗りかご１の移動方向軸延長上に該当する箇所、つまり昇降路下部（ピット）９において、送信機５ａの真下に該当する箇所に設置する。また、受信機５ｂは、送信機５ａによる光信号の送信を妨げないように乗りかご１の側壁に取り付け、送信機６ｂは、昇降路下部（ピット）９において、受信機５ｂの真下に該当する箇所に設置する。
【００１５】
送信機５ａは、防犯カメラ２により出力された映像信号を変調し、この変調した電気信号を光信号に変換して受信機６ａに向けて送信する。変調とは、例えば、搬送波となる所定の周波数の正弦波を映像信号に重畳する輝度変調である。電気信号から光信号への変換は、例えば可視発光ダイオードや赤外発光ダイオード、半導体レーザなどの固体発光デバイスにより実現される。これらのデバイスは、例えばテレビやオーディオ関連のリモコンまたはワイヤレスＬＡＮなどの無線機器に利用されている。
【００１６】
受信機６ａは、送信機５ａにより送信された光信号を受信し、これを元の電気信号に再変換する。光信号から電気信号への変換は、例えば、アバランシェホトダイオードまたはＰＩＮダイオードにより実現される。そして、受信機６ａは、光信号から変換した電気信号を復調して映像信号を取り出し、これをプリアンプ（図示せず）などにより増幅して映像記録装置３に出力する。
【００１７】
昇降路における所定の階床（基準階８）には映像記録装置３および映像表示器４ａが設置される。映像記録装置３は、受信機６ａが受信した映像信号を入力して映像情報として記録し、これを映像表示器４ａに出力する。映像表示器４ａは、映像記録装置３により出力された映像情報、つまり乗りかご１内の映像を表示する。
【００１８】
送信機６ｂには映像発信機１１が接続される。映像発信機１１は例えばＰＣ（パーソナルコンピュータ）であり、乗りかご１内の映像表示器４ｂに表示させる映像情報を記憶する。この映像情報は、映像発信機１１の操作により映像信号として送信機６ｂに出力される。映像発信機１１は、映像情報に限らず、例えば、文字情報または音声情報を出力する構成としてもよい。
【００１９】
送信機６ｂは、映像発信機１１により出力された映像信号を前述した送信機５ａと同様に変調し、この電気信号を光信号に変換して受信機５ｂに向けて送信する。受信機５ｂは、送信機６ｂにより送信された光信号を受信し、これを前述した受信機６ａと同様に電気信号に再変換して、これを復調して取り出した映像信号を乗りかご１内の映像表示器４ｂに出力する。
【００２０】
図２は、図１に示した送信機５ａおよびこれに併設された受信機５ｂの内部の構成を示す図である。
ここで、送信機５ａと受信機５ｂは、一体型の機器であるとみなして説明する。この機器には、光受信器５１、信号検出器５２、第１遅延回路５３、送信器電源５４、リレースイッチ５５、光送信器５６、第２遅延回路５７、カウンタ５７ａおよびモードスイッチ５９が設けられる。
【００２１】
光受信器５１は、送信機６ｂにより出力された光信号を受信して、これを電気信号に変換し、この電気信号を復調して映像信号を取り出し、この映像信号を信号検出器５２に出力する。
【００２２】
信号検出器５２は、光受信器５１により出力された映像信号を映像表示器４ｂに出力する。また、信号検出器５２は、光受信器５１により出力された映像信号の信号レベルを検出し、この信号レベルが所定の信号レベル以上であるとき、またはそれ未満であるときに、それぞれの旨を示す制御信号を第１遅延回路５３に出力する。なお、信号検出器５２は、光受信器５１により出力された映像信号の受信誤り率を検出し、この誤り率が所定の値以上であるとき、またはそれ未満であるときに、それぞれの旨を示す制御信号を第１遅延回路５３に出力する構成としてもよい。
【００２３】
送信器電源５４は、リレースイッチ５５を介して、光送信器５６に電源を供給する。光送信器５６は、電源が供給されると防犯カメラ２により出力された映像信号を変調し、この変調した電気信号を光信号に変換して受信機６ａに出力する。
【００２４】
リレースイッチ５５は、光送信器５６による光信号の出力を制御するためのものであり、第１遅延回路５３またはカウンタ５７ａから出力された制御信号にしたがって、オン・オフが制御される。リレースイッチ５５がオフに制御されると、送信器電源５４による電源が光送信器５６に供給されなくなる。これにより当該光送信器５６による光信号の出力が停止する。また、リレースイッチ５５がオンに制御されると、送信器電源５４による電源が光送信器５６に供給され、当該光送信器５６による光信号の出力が開始される。
【００２５】
第１遅延回路５３は、信号検出器５２から入力した制御信号にしたがって所定間隔のカウントを開始する。以下、このカウントされた値をカウント時間と称して説明する。第１遅延回路５３は、このカウント時間が所定の時間に達した時点で、リレースイッチ５５をオフに制御して、光送信器５６による光信号の送信を停止させる。この場合、カウントを行なう、つまり信号レベルの検出後にリレースイッチ５５の制御を行なうまでの時間的な条件を設けるのは、軸ずれが、例えば小規模の振動による一時的なもので、この振動の停止に伴い軸ずれが回復するような場合の出力停止を防止するためである。
【００２６】
具体的には、第１遅延回路５３は、信号検出器５２から入力された制御信号が、光受信器５１により受信した映像信号のレベルが所定のレベル以上である旨を示す制御信号（以下、Ｈレベル信号と称する）から、映像信号レベルが前記所定のレベル未満である旨を示す制御信号（以下、Ｌレベル信号と称する）に切り替わると所定間隔のカウントを開始する。ただし、信号検出器５２によるＨレベル信号を入力したときは、カウント時間をリセットしてカウント動作を停止させ、また、第２遅延回路５７およびカウンタ５７ａにＨレベル信号を出力する。
【００２７】
第１遅延回路５３は、カウント時間が所定時間Ａに達した時点で、Ｌレベル信号をリレースイッチ５５および第２遅延回路５７に出力し、カウント時間をリセットして再びカウントを開始する。
【００２８】
第２遅延回路５７は、光送信器５６による光信号の出力が停止したときに、これを一定時間経過後に自動的に再開させるトリガとなる。光信号の出力を自動的に再開させるのは、光信号の正常な送受信が再開できたか否かを確認するためには、軸ずれが起こっている状態において、実際に送信機５ａおよび送信機６ｂにより光信号を出力しながら、作業員により、送信機５ａ，受信機６ａ間および送信機６ｂ，受信機５ｂ間の軸ずれを修正する必要があるためである。
【００２９】
第２遅延回路５７は、第１遅延回路５３により出力されたＬレベル信号にしたがってカウントを開始する。ただし、第２遅延回路５３は、第１遅延回路５３によるＨレベル信号を入力したときには、カウント時間をリセットしてカウント動作を停止する。
【００３０】
このカウント時間が所定時間Ｂに達したときには、カウンタ５７ａに制御信号を出力する。カウンタ５７ａは、この制御信号にしたがってリレースイッチ５５をオンにする制御をするので、これにより光信号の出力が再開される。また、第２遅延回路５７は、カウント時間が時間Ｂに達してカウンタ５７ａに制御信号を出力するとカウント時間をリセットして再びカウントを開始する。
【００３１】
また、カウンタ５７ａは、光信号の出力の再開動作を所定の回数に制限する機能を有しており、“０”をカウントの初期値として保持する。カウンタ５７ａは、第２遅延回路５７による制御信号を入力すると、リレースイッチ５５に制御信号を出力するとともに、保持するカウント値に“１”を加える。このカウント値が所定の値Ｃに達した場合には、カウンタ５７ａは、第２遅延回路５７による制御信号を入力しても、リレースイッチ５５に制御信号を出力しない。このカウント値は、第１遅延回路５３によるＨレベル信号を入力すると、“０”にリセットされる。
【００３２】
光信号の出力の再開動作を所定の回数に制限するのは、例えば送信機５ａによる光信号の出力の再開後、図２に示す光受信器５１に所定レベル以上の光信号が入力されない場合には軸ずれが修正されていないことが考えられ、乗客への被害を防止するために、光送信器５６による光信号の出力を完全に停止させてこの送信停止状態を維持する必要があるからである。
【００３３】
リレースイッチ５５は、第１遅延回路５３によるＬレベル信号を入力するとオフに制御され、カウンタ５７ａによる制御信号を入力するとオンに制御される。なお、リレースイッチ５５に対して、第１遅延回路５３によるＬレベル信号およびカウンタ５７ａによる制御信号が同時に入力された場合には、いずれか一方、例えば第１遅延回路５３によるＬレベル信号の入力を優先する。
【００３４】
モードスイッチ５９は、例えば作業者による乗りかご１の点検作業中に押下してオンまたはオフに設定するスイッチである。このスイッチをオフ状態とすると、第１遅延回路５３によるカウントが停止し、この第１遅延回路５３を介してリレースイッチ５５にＬレベル信号を出力する。第１遅延回路５３によるカウントが停止した状態でモードスイッチ５９をオンとすると、このカウントが再開する。
【００３５】
なお、昇降路下部９に設置される受信機６ａおよび送信機６ｂの内部構成は、図２に示した受信機５ｂと送信機５ａとの一体型の機器とほぼ同様の構成である。この場合、光受信器５１は、送信機５ａによる光信号を受信し、信号検出器５２は、映像記録装置３に映像信号を出力し、光送信器５６は、映像発信機１１により入力された映像信号を変調および電光変換して受信機５ｂに出力する。
【００３６】
次に、前述した構成による情報伝送装置の処理について説明する。
まず、送信機５ａ，受信機６ａ間および送信機６ｂ，受信機５ｂ間で光信号の送受信が正常に行なわれていると仮定する。ここで、例えば地震やその他の振動などの外部要因により送信機６ｂと受信機５ｂとの間で軸ずれが発生すると、受信機５ｂの光受信器５１により受信する光信号の信号レベルが低下またはゼロとなる。送信機６ｂと受信機５ｂとの間で軸ずれが発生した場合は、送信機５ａと受信機６ａとの間でも軸ずれが発生している可能性が高いので、送信機６ｂ，受信機５ｂ間および送信機５ａ，受信機６ａ間の光信号の送受信をともに停止させる必要がある。
【００３７】
図３は、図２に示した第１遅延回路５３による処理動作を示すフローチャートである。
まず、信号検出器５２により検出した映像信号レベルが所定のレベル未満になると、第１遅延回路５３にＨレベル信号が入力され、第１遅延回路５３による所定間隔のカウントが開始する（ステップＳ１，Ｓ２）。第１遅延回路５３によるカウント時間が所定時間Ａに達すると（ステップＳ３→Ｓ４）、リレースイッチ５５がオフ状態に制御されて光送信器５６による光信号の送信が停止する（ステップＳ５，Ｓ６）。これにより、送信機５ａ，受信機６ａ間の光信号の送受信が停止する。
【００３８】
送信機５ａによる光信号の出力が停止すると、受信機６ａにより受信する光信号のレベルがゼロになるので、受信機６ａおよび送信機６ｂ側のリレースイッチ５５がオフに制御され、送信機６ｂによる光信号の送信が停止する。したがって、送信機６ｂ，受信機５ｂ間での光信号の送受信も停止する。
【００３９】
なお、振動によって軸ずれ状態となった時間が所定時間Ａ以下であり、この振動の終了後に軸ずれが回復した場合には、送信機５ａ，受信機５ｂ側の光受信器５１により受信される光信号のレベルは正常なレベルに回復することになる。すると、信号検出器５２から第１遅延回路５３にＨレベル信号が出力されて、当該第１遅延回路５３によるカウント時間がリセットされて停止されるので（ステップＳ３→Ｓ８，Ｓ９）、一時的な軸ずれによる光信号の出力停止を防止することが出来る。
【００４０】
次に、光信号の送受信の停止後、送信機５ａ，受信機６ａ間、および送信機６ｂ，受信機５ｂ間での光信号の送受信を再開させる処理について説明する。
図４は、図２に示した第２遅延回路５７による処理動作を示すフローチャートである。
この第２遅延回路５７は、光送信器５６による光信号の出力が停止状態に有る場合に、これを自動的に再開させるトリガとなる。第２遅延回路５７は、第１遅延回路５３からのＬレベル信号を入力するとカウントを所定間隔で開始し（ステップＳ１１，１２）、所定時間Ｂをカウントすると（ステップＳ１３→Ｓ１４）、カウンタ５７ａの保持するカウント値に“１”を加え、このカウント値が所定の値Ｃ未満であれば、リレースイッチ５５をオンに制御するので（ステップＳ１５，Ｓ１６→Ｓ１７）、光送信器５６による光信号の出力が自動的に再開されることになる。ここでカウント時間がリセットされ（ステップＳ１８）、ステップＳ１２の処理に戻る。また、カウントの開始後、第１遅延回路５３によるＨレベル信号を入力すると、カウント時間がリセットされて停止される（ステップＳ１３→Ｓ１９）。
【００４１】
これにより、例えば作業員が昇降路下部９のみに位置している場合に、乗りかご１に設けられた送信機５ａ，受信機５ｂ側での作業を行なわなくても、当該送信機５ａ，受信機５ｂ側の光送信器５６による光信号の出力が自動で再開されるので、例えば、昇降路下部９に設置された送信機６ｂ，受信機６ａ側の位置調整のみで、送信機５ａ，受信機６ａ間および送信機６ｂ，受信機５ｂ間の軸ずれが解消するような場合には、作業員は乗りかご１側での作業を行なう必要が無くなる。よって、軸ずれの調整に係る作業を簡略化することができる。
【００４２】
送信機５ａによる光信号の出力が再開され、かつ、送信機５ａ，受信機６ａ間の軸ずれが修正された場合には、当該送信機５ａ，受信機６ａ間の光信号の正常な送受信が再開されることになるので、送信機６ｂによる光信号の送信も再開される。なお、送信機５ａと受信機５ｂが一体型の機器（図２参照）であり、送信機６ｂと受信機６ａとが一体型の機器である場合には、送信機６ｂ，受信機５ｂ間の軸ずれも修正されることになり、当該送信機６ｂ，受信機５ｂ間での光信号の送受信も再開される。
【００４３】
第１遅延回路５３は、リレースイッチ５５に対するＬレベル信号の出力後、カウント時間をリセットして再び所定間隔のカウントを開始し（ステップＳ７→Ｓ２）、このカウント時間が所定時間Ａに達したときには、第２遅延回路５７およびリレースイッチ５５にＬレベル信号を出力する。これにより、リレースイッチ５５が再度オフに制御され、第２遅延回路５７によるカウントが再度開始される。
【００４４】
これにより、第２遅延回路５７の作動にしたがって光送信器５６による光信号の出力が再開されても、所定時間経過後に、光送信器５６による光信号の出力が再び停止されることになる。したがって、送信機５ａ，受信機６ａ間および送信機６ｂ，受信機５ｂ間のうち少なくとも一方で発生した軸ずれが修正されない場合でも、前述した送信再開動作にともなう乗客への危険を防止出来る。
【００４５】
ここで、作業員が軸ずれの調整を行なったことを前提として、例えば数回にわたり光信号の送信の停止及び再開を繰り返すような場合には、軸ずれ以外の原因、例えば、光送信器５６の不良などより光信号の送受信が正常になされていないことが推測されるので、光信号の送受信を完全に停止させた上での点検を行なう必要がある。そこで、カウンタ５７ａは、つまり第２遅延回路５７による制御信号を入力するごとにカウント値を“１”増加させる。この処理は、図４に示したステップＳ１５の処理に対応する。このカウント値が所定のカウント値Ｃに達した場合には、カウンタ５７ａは第２遅延回路５７による制御信号を入力してもリレースイッチ５５に制御信号を出力しない。これにより、光信号の送信再開動作が中止され、光信号の送信停止状態が維持されることになる。
【００４６】
図２に示したモードスイッチ５９は、手動によりオン・オフを切り替えるスイッチである。このモードスイッチ５９をオンに設定しているときには、リレースイッチ５５は常にオンに制御される。また、モードスイッチ５９をオフに設定したときには、リレースイッチ５５はオフに制御される。なお、第１遅延回路５３によるカウントがなされている場合にモードスイッチ５９をオフに設定したときには、第１遅延回路５３によるカウントが停止する。これにより、第１遅延回路５３によるリレースイッチ５５の制御を無効にする。
【００４７】
以上説明したような構成によれば、乗りかご１側の受信機５ｂまたは昇降路下部９側の受信機６ａで受信した光信号の信号レベルに基づいて、昇降路下部９側の送信機６ｂおよび乗りかご１側の送信機５ａによる光信号の送信を停止させることができるので、振動により軸ずれが発生した場合でも、送信機５ａまたは送信機６ｂにより送信された光信号の照射による乗客への被害を未然に防止することができる。
【００４８】
本実施形態の変形例について説明する。
図５は、図２に示した、送信機５ａおよび受信機５ｂの内部構成の変形例を示す図である。
図５に示した、送信機５ａおよび受信機５ｂの一体型機器は、図２に示したそれと異なり、リレースイッチ５５に代えて、光送信器５６により出力する光信号を遮へいする機構が設けられる。この遮へい機構は、シャッタ５８である。
【００４９】
第１遅延回路５３は、所定時間Ａをカウントするとシャッタ駆動回路６０にＬレベル信号を出力する。シャッタ駆動回路６０は、第１遅延回路５３によるＬレベル信号にしたがって、シャッタ５８を矢印Ａの方向に沿って駆動するよう制御し、光送信器５６により出力された光信号を遮へいする。これにより、光送信器５６により送信された光信号は受信機６ａに届かなくなり、この光送信器５６による光信号の照射方向が軸ずれにより昇降路外に照射されるような場合でもこれを防止することができ、光信号による乗客への被害を防止することができる。
【００５０】
また、前述したように第２遅延回路５７によるカウント時間が所定時間Ｂに達してカウンタ５７ａに制御信号が出力された場合には、カウンタ５７ａは、保持するカウント値に“１”を加え、シャッタ駆動回路６０に制御信号を出力する。シャッタ駆動回路６０は、カウンタ５７ａによる制御信号にしたがってシャッタ５８を矢印Ｂの方向に沿って駆動するよう制御し、光送信器５６により出力された光信号の遮へいを解除する。
【００５１】
また、カウント５７ａによりカウントされた値が所定の値Ｃに達した場合には、このカウンタ５７ａは、第２遅延回路５７により制御信号が出力されてもシャッタ駆動回路６０に制御信号を出力しない。これによりシャッタ５８による遮へい解除動作がなされなくなり、光信号の遮へい状態が維持される。
【００５２】
なお、図２に示した構成において、回路の簡略化のため、例えば第１遅延回路５３、第２遅延回路５７、カウンタ５７ａおよびモードスイッチ５９を設けず、信号検出器５２とリレースイッチ５５とを接続し、信号検出器５２により、Ｌレベル信号が出力されたときにリレースイッチ５５をオフに制御し、信号検出器５２によりＨレベル信号が出力されたときにリレースイッチ５５をオンに制御する構成としてもよい。
【００５３】
また、図５に示した構成において、回路の簡略化のため、例えば第１遅延回路５３、第２遅延回路５７、カウンタ５７ａおよびモードスイッチ５９を設けず、信号検出器５２とシャッタ駆動回路６０とを接続し、信号検出器５２によりＬレベル信号が出力されたときにシャッタ駆動回路６０を制御して、シャッタ５８を駆動させて光信号を遮へいし、信号検出器５２によりＨレベル信号が出力されたときにシャッタ駆動回路６０を制御して、シャッタ５８を駆動させて光信号の遮へいを解除する構成としてもよい。
【００５４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５５】
【発明の効果】
以上のように、本発明によれば、受信機により受信した光信号の信号レベルが所定のレベル未満であるときに、当該受信機に対峙して設置される送信器による光信号の送信を停止させることができるので、振動などにより軸ずれが発生したときに光信号の送受信を停止させることができるようになる。これにより、光信号の照射方向が変化して昇降路外に漏れるような場合でも、この光信号による乗客への危険を防止することができる。
【図面の簡単な説明】
【図１】本発明の一実施形態にしたがったエレベータ用情報伝送装置の構成例を示すブロック図。
【図２】図１に示した送信機５ａおよび受信機５ｂの内部構成を示す図。
【図３】図２に示した第１遅延回路５３による処理動作を示すフローチャート。
【図４】図２に示した第２遅延回路５７による処理動作を示すフローチャート。
【図５】図２に示した送信機５ａおよび受信機５ｂの内部構成の変形例を示す図。
【符号の説明】
１…乗りかご、２…防犯カメラ、３…映像記録装置、４ａ，４ｂ…映像表示器、５ａ，６ｂ…送信機、５ｂ，６ａ…受信機、８…基準階、９…昇降路下部（ピット）、１０…巻き上げ機、１１…映像発信機、１２ａ，１２ｂ…光信号の送信方向、１３ａ，１３ｂ…光信号、５１…光受信器、５２…信号検出器、５３…第１遅延回路、５４…送信器電源、５５…リレースイッチ、５６…光送信器、５７…第２遅延回路、５７ａ…カウンタ、５８…シャッタ、５９…モードスイッチ、６０…シャッタ駆動回路。
【図１】
2005047660.tif 000003
【図２】
2005047660.tif 000004
【図３】
2005047660.tif 000005
【図４】
2005047660.tif 000006
【図５】
2005047660.tif 000007